(57)【特許請求の範囲】
【請求項１】
下面から下方に突出する複数の脚部を有する水槽本体と、
前記水槽本体の下方に配置され、前記水槽本体を支持するキャビネット部と、を備えるキャビネット付水槽であって、
前記キャビネット部は、
前記脚部の下方に配置されて前記水槽本体の荷重を受ける荷重受け部を有するとともに高さ調整機構を有する第１キャビネット部と、
前記第１キャビネット部とは別体として設けられるとともに、前記水槽本体の荷重を直接的に受けることなく前記第１キャビネット部に連結された少なくとも一つの第２キャビネット部と、を有し、
前記荷重受け部は、前記水槽本体の外縁側から内側に寄った中央部側における一方及び他方に間を空けて配置されるキャビネット付水槽。
【請求項２】
前記水槽本体は、左右方向に横長の形状を有するとともにその左右方向の中央部側に前記複数の脚部を有し、
前記第１キャビネット部は、前記水槽本体の左右方向中央部側に配置され、
前記第２キャビネット部は、前記水槽本体の左右方向両端部に一つずつ配置される請求項１に記載のキャビネット付水槽。
【請求項３】
前記第１キャビネット部は、上面が開口した立方体又は直方体形状を有し、
前記荷重受け部は、前記第１キャビネット部の前後方向に延びる側壁により構成される請求項１又は２に記載のキャビネット付水槽。
【請求項４】
前記第２キャビネット部における前記第１キャビネット部に隣接する側壁部には、前記第１キャビネット部と連結するための連結部材が挿通され該連結部材より大きい複数の連結孔が形成される請求項１から３いずれかに記載のキャビネット付水槽。
【発明の詳細な説明】
【技術分野】
【０００１】
本発明は、キャビネット付水槽に関する。
【背景技術】
【０００２】
従来、乳幼児等を入浴させる浴槽等の水槽において、湯水を貯留する水槽本体の下に、水槽本体と略同じ大きさで水槽本体を支持するキャビネット部を配置することを予定したものが提案されている（例えば、特許文献１参照）。
【先行技術文献】
【特許文献】
【０００３】
【特許文献１】特開２００９−７２５３３号公報
【発明の概要】
【発明が解決しようとする課題】
【０００４】
水槽本体をキャビネット部の上に載せる場合、水槽本体が水平になるように設置する必要がある。しかし、水槽本体と略同じ大きさのキャビネット部は、寸法が大きく、かつ重いものである。キャビネット部に反りやねじれ等のわずかな変形が生じた場合に、キャビネット部を水平に設置するためには、調整が必要となる箇所が多く、また、高さの調整自体にも手間がかかっていた。また、水槽本体やキャビネット部は、その大きさ及び重さのため、運搬や搬入も大がかりになっていた。
【０００５】
本発明は、搬入が容易であるとともに、高さ調整が容易で施工性が向上したキャビネット付水槽を提供することを目的とする。
【課題を解決するための手段】
【０００６】
上記目的を達成するため本発明は、下面（例えば、上述の下面部１１１、１２１）から下方に突出する複数の脚部（例えば、上述の脚部１３）を有する水槽本体（例えば、上述のバス部１０）と、前記水槽本体の下方に配置され、前記水槽本体を支持するキャビネット部（例えば、上述のキャビネット部２０）と、を備えるキャビネット付水槽（例えば、上述のキャビネット付水槽１）であって、前記キャビネット部は、前記脚部の下方に配置されて前記水槽本体の荷重を受ける荷重受け部（例えば、上述の荷重受け部２５０）を有するとともに高さ調整機構（例えば、上述の高さ調整機構２３０）を有する第１キャビネット部（例えば、上述の第１キャビネット部２１）と、前記第１キャビネット部とは別体として設けられるとともに、前記水槽本体の荷重を直接的に受けることなく前記第１キャビネット部に連結された少なくとも一つの第２キャビネット部（例えば、上述の第２キャビネット部２２）と、を有するキャビネット付水槽を提供する。
【０００７】
前記水槽本体は、左右方向に横長の形状を有するとともにその左右方向の中央部に前記複数の脚部を有し、前記第１キャビネット部は、前記水槽本体の左右方向中央部に配置され、前記第２キャビネット部は、前記水槽本体の左右方向両端部に一ずつ配置されることが好ましい。
【０００８】
前記第１キャビネット部は、上面が開口した立方体又は直方体形状を有し、前記荷重受け部は、前記第１キャビネット部の前後方向に延びる側壁により構成されることが好ましい。
【０００９】
前記第２キャビネット部における前記第１キャビネット部に隣接する側壁部（例えば、上述の側壁部２２５）には、前記第１キャビネット部と連結するための連結部材（例えば、上述のボルト３３）が挿通され該連結部材より大きい複数の連結孔（例えば、上述の連結孔３２）が形成されることが好ましい。
【発明の効果】
【００１０】
本発明によれば、搬入が容易であるとともに、高さ調整が容易で施工性が向上したキャビネット付水槽を提供することができる。
【図面の簡単な説明】
【００１１】
【図１】本実施形態のキャビネット付水槽を示す斜視図である。
【図２】本実施形態のキャビネット付水槽の上面図である。
【図３】図２のキャビネット付水槽のＡ−Ａ断面図である。
【図４】図２のキャビネット付水槽のＢ−Ｂ断面図である。
【図５】本実施形態のキャビネット部が分割された状態の正面図である。
【図６】本実施形態のキャビネット部が連結された状態の上面図である。
【発明を実施するための形態】
【００１２】
以下、本発明の一実施形態について、図面を参照しながら詳しく説明する。
図１は、本実施形態に係るキャビネット付水槽１の斜視図である。本実施形態におけるキャビネット付水槽１は、乳幼児を沐浴等させる湯水の貯留部を有し、流し台のような形状をしている。
本明細書において、沐浴をさせる場合に介助者が位置する方を手前側、その反対側を後ろ側と言い、手前側と後ろ側を結ぶ方向を前後方向ＦＢと言う。また、前後方向ＦＢに直交するとともに、介助者の左右に延びる方向を左右方向ＬＲと言う。
キャビネット付水槽１は、水槽本体としてのバス部１０及びキャビネット部２０を有し、略直方体に形成される。キャビネット付水槽１は、バス部１０がキャビネット部２０に支持されて構成される。
【００１３】
図２は、バス部１０の上面図である。図３は、図２のＡ−Ａ断面図である。図４は、図２のＢ−Ｂ断面図である。図１〜３に示すように、バス部１０は、左右方向ＬＲに横長の形状を有する。バス部１０は、長方形の上面部１０ａと、上面部１０ａの四周から下方に延びる側壁部１０ｂを有して形成される。バス部１０の上面部１０ａには、周縁に沿って湯水が溢れて外へ垂れ落ちることを防止するための浅い凹部１０ｃや突起１０ｄが設けられている。
バス部１０は、第一槽１１と、第二槽１２と、脚部１３と、仕切り部１４と、蛇口１５と、を有する。
【００１４】
第一槽１１は、主に乳幼児を沐浴等させるための湯水の貯留部である。第一槽１１は、バス部１０の長手方向の一方側に配置され、上面部１０ａから下方へ窪んで形成される。第一槽１１は、上部が開口した略直方体の形状を有し、下面部１１１と、下面部１１１からバス部１０の上面へ起立する側部１１２と、下面部１１１に形成される排水口１１３とを有する。第一槽１１は、その長辺がバス部１０の左右方向ＬＲに沿うように配置されている。
【００１５】
第二槽１２は、洗い物をしたり、第一槽１１とは別に湯水を貯めて使用したい場合に用いられ、第一槽１１よりも容積が小さい湯水の貯留部である。第二槽１２は、バス部１０の他方側に、第一槽１１と並んで配置され、上面部１０ａから下方へ窪んで形成される。第二槽１２は、第一槽１１と同様に、上部が開口した略直方体の形状を有し、下面部１２１と、下面部１２１からバス部１０の上面へ起立する側部１２２と、下面部１２１に形成される排水口１２３とを有する。第二槽１２は、第一槽１１と同じ深さに形成される。
【００１６】
脚部１３は、第一槽１１及び第二槽１２の下面部１１１、１２１から下方に突出する。図３及び図４に示すように、脚部１３は、第一槽１１及び第二槽１２の前後方向ＦＢに沿って延び、バス部１０の左右方向ＬＲ中央部側に配置される。本実施形態では、脚部１３は第一槽１１に一つ、第二槽１２に一つ、計二つ設けられている。脚部１３は、図２に示すように、第一槽１１におけるバス部１０の左右方向ＬＲに沿う辺の略中央部、及び第二槽１２におけるバス部１０の左右方向ＬＲに沿う辺の略中央部に形成される。脚部１３は、第一槽１１及び第二槽１２のそれぞれに配置される脚部１３の下端が、同じ高さとなるように配置されている。すなわち、第一槽１１及び第二槽１２に設けられる脚部１３の下端それぞれが、水平方向の同一面上に載るように形成されている。
【００１７】
仕切り部１４は、第一槽１１と第二槽１２との間に配置され、これらを繋ぐバス部１０の上面部１０ａの一部である。
【００１８】
蛇口１５は、仕切り部１４に配置され、第一槽１１及び第二槽１２の両方に湯水を供給できるよう、回転可能に形成されている。蛇口１５の奥側の上面部１０ａには、第一槽１１又は第二槽１２から水が溢れた場合等に水を排水する上面部排水口１６が配置されている。
【００１９】
図５は、キャビネット部２０の正面図である。図６は、キャビネット部２０の上面図である。キャビネット部２０は、バス部１０の下方に配置される略直方体により構成される。キャビネット部２０の長辺及び短辺は、バス部１０の長辺及び短辺それぞれと対応する長さであり、キャビネット部２０の上側の辺が、バス部１０の下側の辺よりわずかにより短く構成される。キャビネット部２０の上辺は、バス部１０の下辺の内側に位置し、バス部１０から湯水が下へ伝い落ちた場合にも、キャビネット部２０の内部に流入しないように構成されている。
【００２０】
図５に示すように、本実施形態におけるキャビネット部２０は、三つに分割可能である。そして図６に示すように、分割されたキャビネット部２０は、相互に連結される。本実施形態のキャビネット部２０は、それぞれが略長方体の形状を有する第１キャビネット部２１と、第２キャビネット部２２と、連結部３０と、を有する。
【００２１】
第１キャビネット部２１は、バス部１０の中央側、具体的には、バス部１０の左右方向ＬＲの中央部に配置される。第１キャビネット部２１は、上面が開口した直方体形状を有する。第１キャビネット部２１は、本体部２１０と、荷重受け部２５０と、蓋部２２０と、高さ調整機構２３０と、を有する。
【００２２】
本体部２１０は、上面部２１１、底面部２１２、背面部２１３、正面部２１４、側壁としての一対の側面部２１５を有して形成される。
上面部２１１は、バス部１０側に向かって開口している。
底面部２１２は、上面部２１１に対向する下方の面である。
背面部２１３は、上面部２１１と底面部２１２とを接続する奥側の板面である。背面部２１３には、給水及び給湯管が挿通する開口部２１３ａが設けられている（図３及び４参照）。
正面部２１４は、手前側に向かって開口しており、以下に述べる蓋部２２０が取り付けられる。
なお、本体部２１０の内部には、第一槽１１及び第二槽１２の排水口から下方へ延びる排水管４１、４２と、背面部２１３側から挿通される給水及び給湯管（図示せず）が収容される。
【００２３】
図６に示すように、一対の側面部２１５は、第１キャビネット部２１の前後方向ＦＢに延びる側壁である。側面部２１５は、底面部２１２や背面部２１３等を構成する板よりも厚く形成される。側面部２１５の上面には、バス部１０の脚部１３が載置されて取り付けられる。側面部２１５の上面は、脚部１３の下方に配置されてバス部１０の荷重を受ける荷重受け部２５０を構成する。
【００２４】
蓋部２２０は、本体部２１０の正面部２１４の開口を塞ぐ板面である。蓋部２２０は、本体部２１０においては、正面部２１４の周囲にねじ等で固定される。
【００２５】
高さ調整機構２３０は、本体部２１０側面部２１５の下面に取り付けられる。詳細には、高さ調整機構２３０は、一対の側面部２１５それぞれの下面の後ろ側及び手前側に配置され、合計四つ取り付けられる。高さ調整機構２３０は、いわゆるボルト脚と呼ばれるボルトにより構成される。ボルトの頭部を設置する面に向け、側面部２１５に形成されたボルトを挿入する穴にねじ部を螺合させて取り付けられる。
【００２６】
第２キャビネット部２２は、第１キャビネット部２１を間に挟んで両側に配置され、バス部１０の左右方向ＬＲ両端部に一つずつ配置される。本実施形態では、二つの第２キャビネット部２２は、それぞれ大きさが異なっている。第２キャビネット部２２は、第１キャビネット部２１とは離間可能な別体として設けられ、内部に物を収納可能な収納部として構成される。
【００２７】
第２キャビネット部２２は、第１キャビネット部２１よりも小さく形成され、詳細には、キャビネット部２０の長辺に沿う第２キャビネット部２２の辺の長さが、キャビネット部２０の長辺に沿う第１キャビネット部２１の辺の長さよりも短い。第２キャビネット部２２は、本体部と同様に、上面部２２１、底面部２２２、背面部２２３、正面部２２４、一対の側壁部２２５、蓋部２６０、高さ調整機構２４０を有して形成される。
【００２８】
上面部２２１は、バス部１０側に向かって開口している。
底面部２２２は、上面部２２１に対向する下方の面である。
背面部２２３は、上面部２２１と底面部２２２とを接続する奥側の板面である。
正面部２２４は、手前側に向かって開口しており、以下に述べる蓋部２６０が取り付けられる。
一対の側壁部２２５は、上面部２２１と底面部２２２とを接続し前後方向ＦＢに沿う板面である。第２キャビネット部２２の側壁部２２５は、第１キャビネット部２１の側面部２１５よりも薄く形成されている。側壁部２２５は、第２キャビネット部２２が第１キャビネット部２１に連結された状態では、キャビネット部２０の左右方向ＬＲ両端の側壁部を構成する。
【００２９】
第２キャビネット部２２の高さ調整機構２４０は、第１キャビネット部２１と同様にボルト脚で構成される。
蓋部２６０は、第２キャビネット部２２では、正面部２２４の周縁に開閉可能に取り付けられる。蓋部２６０には、鍵が設けられていてもよい。
【００３０】
以上のキャビネット部２０は、バス部１０、バス部１０に貯留される湯水の重量及び乳幼児の体重を、支持可能な耐荷重及び強度を有する素材で構成される。本実施形態では、木製である。
【００３１】
図３に戻って、連結部３０は、第１キャビネット部２１と第２キャビネット部２２とを連結する機構であり、具体的には、それぞれ複数のボルト孔３１、連結孔３２、連結部材としてのボルト３３、ワッシャ３４及びナット３５により構成される。
【００３２】
ボルト孔３１は、第１キャビネット部２１における側面部２１５の四隅近傍に、それぞれ形成される。
ボルト３３は、ボルト孔３１の径に適合する径を有するねじ部３３ａと、ねじ部の一端に形成される頭部３３ｂと、を有する。
ナット３５は、ボルト３３に締結可能な寸法を有する。
連結孔３２は、第２キャビネット部２２における側壁部２２５のうち、第１キャビネット部２１に隣接する側に位置する側壁部２２５の四隅近傍で、第１キャビネット部２１のボルト孔３１に対応する位置にそれぞれ形成される。連結孔３２は、ボルト３３のねじ部３３ａの径よりも大きな径を有する大孔である。
ワッシャ３４は、図３及び図４に示すように、連結孔３２の径よりも大きな径を有する。
【００３３】
次に、本実施形態におけるキャビネット付水槽１の設置方法を説明する。
まず、キャビネット付水槽１を設置する場所に、バス部１０及びキャビネット部２０を搬入する。このとき、キャビネット部２０は、第１キャビネット部２１と、第２キャビネット部２２とを離間させた状態で搬入する。そして、第１キャビネット部２１を設置場所に配置し、第１キャビネット部２１の上面部２１１が水平になるように、高さ調整機構２３０であるボルト脚のねじ部の長さを調節して、高さを調節する。また、第１キャビネット部２１の背面部２１３を設置場所の壁面に固定する。
【００３４】
第１キャビネット部２１の上面部２１１を水平に調整できたら、第１キャビネット部２１の両側に第２キャビネット部２２を配置する。そして、第２キャビネット部２２の高さ調整機構２４０を調整して、第２キャビネット部２２と第１キャビネット部２１との高さが合うように調節する。次に、第１キャビネット部２１の側面部２１５に形成したボルト孔３１及び第２キャビネット部２２の側壁部２２５に形成した連結孔３２にボルト３３を挿通させ、ワッシャ３４及びナット３５をボルト３３のねじ部３３ａに螺合させて締結する。これにより、第２キャビネット部２２は、バス部１０の荷重を受けることなく第１キャビネット部２１に連結される。
第１キャビネット部２１は、バス部１０の荷重を受けるとともに、キャビネット付水槽１の使用時には湯水の重量や乳幼児の体重も受けるため、下方へ沈むように変形する可能性がある。このような場合に、第２キャビネット部２２が第１キャビネット部２１に連結されていても、第２キャビネット部２２における第１キャビネット部２１側の側壁部２２５には、ボルト３３のねじ部３３ａの径よりも大きな径を有する連結孔３２が配置され、第１キャビネット部２１と第２キャビネット部２２が、連結孔３２の径よりも大きな径のワッシャ３４を介してボルト３３で連結されている。このため、ボルト３３が第１キャビネット部２１の変形に伴いわずかに移動しても、ボルト３３は連結孔３２を移動して第１キャビネット部２１の変形に追随する。
【００３５】
次に、荷重受け部２５０（すなわち、第１キャビネット部２１の側面部２１５の上面）に、バス部１０の脚部１３を載せて固定する。なお、バス部１０についても、バス部１０の上面部１０ａが水平となるように、バス部１０と第１キャビネット部２１との間にスペーサを挿入する等して調整する。
【００３６】
これにより、バス部１０の荷重は第１キャビネット部２１の荷重受け部２５０により受けられて、バス部１０の荷重は第１キャビネット部２１にかかる。第２キャビネット部２２は、その上面部２２１が開口しており、また、バス部１０の裏面も第２キャビネット部２２の上方で略中空状になっている（図３参照）。このため、バス部１０の荷重は第２キャビネット部２２へは実質的にかかっていない。バス部１０の側壁部１０ｂの下端部が、第２キャビネット部２２の側壁部２２５の外側、背面部２２３、正面部２２４の上端と当接することで、部分的に第２キャビネット部２２がバス部１０に当接することがあったとしても、これは、第２キャビネット部２２が「バス部１０の荷重を直接的に受けることなく第１キャビネット部２１に連結」される本発明の範囲内である。
【００３７】
本実施形態によれば、以下の効果が奏される。
本実施形態では、キャビネット付水槽１を、下面から下方に突出する複数の脚部１３を有するバス部１０と、バス部１０の下方に配置され、バス部１０を支持するキャビネット部２０と、を含んで構成した。また、キャビネット部２０を、脚部１３の下方に配置されてバス部１０の荷重を受ける荷重受け部２５０を有するとともに高さ調整機構２３０を有する第１キャビネット部２１と、第１キャビネット部２１とは別体として設けられるとともに、バス部１０の荷重を直接的に受けることなく第１キャビネット部２１に連結された少なくとも一つの第２キャビネット部２２と、を含んで構成した。
【００３８】
本実施形態によれば、第１キャビネット部２１のみでバス部１０の荷重を支える構造となっている。このため、脚部１３の下方に配置される第１キャビネット部２１のみ、水平となるように高さを調整し、第２キャビネット部２２は第１キャビネット部２１に高さを合わせるだけでよいので、高さ調整が容易になる。さらに、第２キャビネット部２２は第１キャビネット部２１と別体として設けられているので、搬入や設置が容易である。
【００３９】
本実施形態によれば、バス部１０を、左右方向に横長の形状を有するとともにその左右方向の中央部に前記複数の脚部１３を含んで構成した。また、第１キャビネット部２１を、バス部１０の左右方向中央部に配置し、第２キャビネット部２２を、バス部１０の左右方向両端部に一つずつ配置した。これにより、キャビネット部２０の長辺方向の両端側で生じる反りやねじれの影響を低減することができる。また、第１キャビネット部２１の形状が立方体に近い安定した形状になり、バス部１０を安定して支持することができる。
【００４０】
本実施形態によれば、第１キャビネット部２１を、上面が開口した立方体又は直方体形状に形成し、荷重受け部２５０を、第１キャビネット部２１の前後方向に延びる側面部２１５により構成した。これにより、別途荷重を受けるための構成を設けることなく、上記と同様の効果を奏することができる。
【００４１】
本実施形態によれば、第２キャビネット部２２において、第１キャビネット部２１に隣接する側壁部２２５に、第１キャビネット部２１と連結するためのボルト３３を挿通させた。また、第２キャビネット部２２に、ボルト３３より大きい複数の連結孔３２を形成した。これにより、第１キャビネット部２１がバス部１０の荷重を受けて下方に変形しても、ボルト３３のねじ部３３ａの径よりも大きな径を有する連結孔３２の中で、ボルト３３が第１キャビネット部２１と連動して下方に移動できる。このため、別体で構成された第１キャビネット部２１及び第２キャビネット部２２が連結されている状態で、第１キャビネット部２１が変形しても、第２キャビネット部２２の側壁部２２５に亀裂等が生じるのを回避できる。
【００４２】
なお、本発明は上記実施形態に限定されるものではなく、本発明の目的を達成できる範囲での変形、改良等は本発明に含まれる。
例えば、上記実施形態では、キャビネット付水槽１は略直方体であるが、これに限られない。キャビネット付水槽は、楕円形等、用途に適した形であればよい。
同様に、第１キャビネット部２１は、略直方体の形状を有しているが、これに限られない。第１キャビネット部２１は、略立方体であってもよい。
また、上記実施形態では、第２キャビネット部２２は、第１キャビネット部２１を挟んで二つ両側に配置されているが、これに限られない。第２キャビネット部は、少なくとも一つあればよく、バス部１０の荷重を受けなければ、どのような位置に配置してもよく、形状も限定されない。
【００４３】
また、上記実施形態では、脚部１３は、バス部１０の前後方向ＦＢに沿って、第一槽１１の下面部１１１に一つ、第二槽１２の下面部１２１に一つ、計二つ形成されているが、これに限られない。脚部１３の配置や数は、バス部１０の荷重をキャビネット部２０に安定して伝えられる位置及び数であればよい。
【００４４】
また、上記実施形態では、高さ調整機構２３０はボルト脚であるが、これは具体的な例示にすぎない。高さ調節機構は、キャビネット部の高さを水平にできるように調整可能な機構であれば、シート状のスペーサ等、どのようなものでも限定されない。
【００４５】
また、上記実施形態では、連結部材及び連結孔はそれぞれボルト及びボルトよりも大きな孔により構成されているが、これらに限定されない。連結部材は、第１キャビネット及び第２キャビネットを連結する部材であればよく、連結孔は、連結部材がその中を上下に移動可能な孔であれば、孔の形状は限定されない。
【００４６】
また、上記実施形態では、キャビネット付水槽は、幼児用のバスとして説明されているが、これに限られない。湯水を貯留可能な水槽でキャビネットの設けられたものであれば、流し台等であってもよい。
【符号の説明】
【００４７】
１      キャビネット付水槽
１０    バス部（水槽本体）
１３    脚部
２０    キャビネット部
２１    第１キャビネット部
２２    第２キャビネット部
３２    連結孔
３３    ボルト（連結部材）
２１５  側面部（側壁）
２２５  側壁部
２３０  高さ調整機構
２５０  荷重受け部
【図１】
0006676339.tif 000002
【図２】
0006676339.tif 000003
【図３】
0006676339.tif 000004
【図４】
0006676339.tif 000005
【図５】
0006676339.tif 000006
【図６】
0006676339.tif 000007